(57)【要約】【課題】高級感を演出することのできる意匠性の高い意匠性サインシステムを提供する。【解決手段】静止画または／および動画で構成される映像を投射する映像投射部２と、前記映像投射部２から投射された映像を反射して視認可能に映し出す投射スクリーン体１ａと、前記投射スクリーン体１ａの投射面側に部分的に設けられて文字、図形、または模様を表す形状に形成された意匠部１０とを備え、前記意匠部１０は、表面側に受光した光の一部を拡散反射し残部を透過する半透明層１０ａを有し、裏面側に前記透過した残部の光を反射する不透明層１０ｂを有する意匠性サインシステム１０１。【選択図】図１
2019139133.tif 000002
【特許請求の範囲】
【請求項１】
静止画または／および動画で構成される映像を投射する映像投射部と、
前記映像投射部から投射された映像を反射して視認可能に映し出す投射スクリーン体と、
前記投射スクリーン体の投射面側に部分的に設けられて文字、図形、または模様を表す形状に形成された意匠部とを備え、
前記意匠部は、表面側に受光した光の一部を拡散反射し残部を透過する半透明層を有する
意匠性サインシステム。
【請求項２】
前記半透明層は、透光体の表面にフロスト加工、シボ加工、またはノングレア加工が施されて形成された層である
請求項１記載の意匠性サインシステム。
【請求項３】
前記意匠部は、裏面側に前記透過した残部の光を反射する不透明層を備え、
前記不透明層は、前記投射スクリーン体と色相、彩度、および明度の少なくとも１つが異なる色に構成されている
請求項１または２記載の意匠性サインシステム。
【請求項４】
前記投射スクリーン体および前記意匠部は、人が利用する施設の壁面、天井面、床面、出入り口、またはこれらの近傍に配置されると、当該配置された位置の近くを通過または立ち止まる人が前記意匠部で表される文字、図形、または模様を表す形状をはっきりと視認できる大きさである
請求項１、２または３記載の意匠性サインシステム。
【請求項５】
前記意匠部に裏面側から光を照射する意匠部用光源と、
前記意匠部用光源の発光状態と、前記映像投射部による映像投射状態とを制御する制御部を備えた
請求項１から４のいずれか１つに記載の意匠性サインシステム。
【請求項６】
請求項１から５記載の意匠性サインシステムを用いて、
前記映像投射部からの投射を行わない非発光サインモードと、
前記映像投射部により、前記意匠部に映像若しくは光を投射してそれ以外の部分に映像および光を投射しない光サインモードと、
前記映像投射部により、前記意匠部とそれ以外の部分も含めた投射スクリーン体全体をに映像を投射して演出する映像演出モードを適宜切り替えて演出する
意匠性サイン演出方法。
【発明の詳細な説明】
【技術分野】
【０００１】
この発明は、例えば店名やロゴの照明サインや照明広告等に利用されるような意匠性サインシステムに関する。
【背景技術】
【０００２】
従来、店名やロゴを明るく表示する照明サインや照明広告と呼ばれるような意匠性発光装置が提供されている。このような意匠性発光装置は、光源の光を前面パネルで拡散して拡散光を放出し、店名やロゴ等の意匠を明るく表示するものである。この意匠性発光装置は、視認性が高く美しいことから、ブランドの店舗の正面や入口でブランド名を表示するなど、様々な場所で利用されている。
【０００３】
このような意匠性発光装置は、従来のネオンサインから始まって、近年のＬＥＤを用いたＬＥＤサインまで変化してきており、様々な意匠性が求められている。 
【０００４】
例えば、特許文献１には、発光ダイオードを用いて発光広告装置を構成するにあたり、安価でありながら高級感のあるものに構成することを目的として、複数色の発光ダイオード（Ｇ、Ｗ等）を用いて所定の図柄、文字を描いて構成される第一表示部と、単色（赤色）の発光ダイオードを縦横行列状に配設し、これら配設した単色発光ダイオードをビットマップ形式で駆動表示して文字を変化させて表示する第二表示部とで構成する発光広告装置が開示されている。
【先行技術文献】
【特許文献】
【０００５】
【特許文献１】特開２０００−１３２１２０号公報
【発明の概要】
【発明が解決しようとする課題】
【０００６】
しかしながら、上述の発光広告装置は、表示の異なる第一表示部と第二表示部とで構成したことにより広告機能が高まったものの、大して高級感を感じさせるものではなかった。
【０００７】
本願発明は、上述の問題に鑑みてなされたものであり、高級感を演出することのできる意匠性の高い意匠性サインシステムを提供することを目的とする。
【課題を解決するための手段】
【０００８】
本願発明は、静止画または／および動画で構成される映像を投射する映像投射部と、前記映像投射部から投射された映像を反射して視認可能に映し出す投射スクリーン体と、前記投射スクリーン体の投射面側に部分的に設けられて文字、図形、または模様を表す形状に形成された意匠部とを備え、前記意匠部は、表面側に受光した光の一部を拡散反射し残部を透過する半透明層を有する意匠性サインシステムであることを特徴とする。
【発明の効果】
【０００９】
本願発明により、高級感を演出することのできる意匠性の高い意匠性サインシステムを提供できる。
【図面の簡単な説明】
【００１０】
【図１】意匠性サインシステムの説明図。
【図２】意匠性サイン部の説明図。
【図３】意匠性サイン部による演出例の説明図。
【図４】実施例２の意匠性サインシステムの説明図
【図５】実施例２の意匠性サイン部の正面図による説明図。
【図６】実施例２の意匠性サイン部の説明図。
【図７】実施例２の意匠性デザイン部による演出例の説明図。
【発明を実施するための形態】
【００１１】
以下、本願発明の一実施形態を図面と共に説明する。
【実施例１】
【００１２】
＜意匠性サインシステム＞
図１は、意匠性サインシステム１０１の説明図である。
意匠性サインシステム１０１は、意匠性サイン部１と、映像投射部としてのプロジェクタ２と、プロジェクタ２による映像投射状態を制御する制御部としてのパソコン３を備えている。
【００１３】
意匠性サイン部１は、ここでは、広告や宣伝のために商店等の建物の正面の壁に配置され、通行人の目に付くようになっている。意匠性サイン部１は、当該正面の壁面に設けられてプロジェクタ２による映像が投射される範囲全体となる投射スクリーン体１ａにより構成されている。この投射スクリーン体１ａは、壁面に立体的に設置された意匠部１０と、壁面の映像投射範囲全体における意匠部１０以外の部分である映像反射部１１とで構成されている。意匠部１０は、文字、図形、または模様を表す形状に形成され、この例では、「ＤＡＩＫＡＮ」という文字と、「波の形」を模した当該文字の下方の傍線状の図形とを表す形状に形成されている。
【００１４】
壁は、垂直に配置されているが、傾斜して配置される壁、天井の壁、あるいは床面の壁など、適宜の壁とすることができる。また、壁は、平面とすることが好ましいが、少し湾曲した曲面や球面など、適宜の形状とすることができる。
【００１５】
意匠性サイン部１は、意匠部１０に加えて、内部に意匠部１０を包含する投射スクリーン体１ａを備えている。すなわち、意匠部１０と、意匠部１０が部分的に設置された壁面の一部である映像反射部１１とが、投射スクリーン体１ａとなっており、プロジェクタ２から投射された映像を反射して視認可能に映し出す。
【００１６】
尚、意匠性サイン部１は、人が利用する施設の壁面、天井面、床面、出入り口、またはこれらの近傍に配置してもよく、また、このように配置された位置の近くを通過または立ち止まる人が意匠部１０で表される文字、図形、または模様を表す形状をはっきりと視認できる大きさであればよい。
【００１７】
プロジェクタ２は、意匠性サイン部１の正面側で、かつ意匠性サイン部１が設けられる平面の法線上とは異なる方向から意匠性サイン部１に対して斜めに投射する位置に意匠性サイン部１と離間して設置されている。詳述すると、プロジェクタ２による映像の投射方向は、意匠性サイン部１の設けられた平面の法線方向と一致する方向を角度０°とすると、５°〜６０°の範囲に構成されており、より好ましくは１０°〜４５°の範囲に構成されている。これにより、映像に対する人の視認性を確保するとともに、意匠部１０での映像の光の反射を適切にできるようにしている。プロジェクタ２は、静止画または／および動画で構成される映像を意匠性サイン部１の投射スクリーン体１ａに向けて投射し、投射スクリーン体１ａに映像を映し出す。
【００１８】
パソコン３は、コンピュータを用いて予め作成された意匠性サイン部１の立体的形状に合った映像（コンピュータグラフィックス）を、映像音声制御ケーブル４を介してプロジェクタ２に伝送するよう制御する。
【００１９】
＜意匠性サイン部＞
図２（Ａ）は、意匠性サイン部１の断面図による説明図であり、図２（Ｂ）は、意匠性サイン部１の一部拡大断面図による説明図である。
意匠性サイン部１は、壁面の一部である映像反射部１１に意匠部１０が設けられて構成されている。
【００２０】
映像反射部１１は、投射スクリーン体１ａの一部を構成している。映像反射部１１は、不透明な素材で形成されている。映像反射部１１は、この例では、平面状であるが、立体的形状を有していてもかまわない。映像反射部１１は、シボ加工やノングレア加工による処理が施されていてもよい。これにより、外光の映り込みが小さくなり、見る人自身の姿や背景が映り込むことが少なくなる。また、蛍光灯などの光が強く反射することが少なくなり、投射された映像を鮮明に映し出すことができる。さらに、シボ加工やノングレア加工がなされた映像反射部１１に入射した光は、拡散され柔らかい光となって放出されるため、高級感を出すこともできる。
【００２１】
投射スクリーン体１ａは、上述した壁の形状に沿って、平面とすることが好ましいが、少し湾曲した曲面や球面など適宜の形状とすることができる。また、投射スクリーン体１ａは、映像反射部１１そのものとすることができるが、壁面に重ねて設けたスクリーンとすることもできる。いずれにせよ、投射スクリーン体１ａは、少なくとも人が一見して凹凸があるようには見えない程度に凹凸の無い面とすることが好ましく、ざらつきのある面であっても良いが平滑な面であることが好ましい。
【００２２】
意匠部１０は、無色透明な素材で形成されており、この例では、無色透明のアクリル素材が用いられている。アクリル素材の厚さの上限は、１００ｍｍ以下とすることができ、５０ｍｍ以下が好ましく、１０ｍｍ以下がより好ましい。このようにすることで、透明度を保つことができる。また、アクリル素材の厚さの下限は、１ｍｍ以上とすることができ、２ｍｍ以上とすることがより好ましい。これにより、強度を保つことができる。なお、アクリル素材の厚さは、透明度と強度の観点から、２〜４ｍｍが最も好ましい。
【００２３】
意匠部１０は、複数のオブジェクト１４により構成されている。各オブジェクト１４は、映像反射部１１からの突出量である高さがいずれも同じ一定の高さとなり、表面１５が映像反射部１１の面と平行な面となるように構成されている。
【００２４】
各オブジェクト１４の周面１６は、映像反射部１１の面およびオブジェクト１１の表面１５に対して垂直に構成されている。なお、各オブジェクト１４の周面１６は、このように直角にすることに限らず、オブジェエクト１４が映像反射部１１の接続部分から突出するに従って表面１５と平行な断面の断面積が小さくなっていくように傾斜させた傾斜面または湾曲面とする、あるいは階段状にするなど、適宜の構成とすることができる。このとき、サイン（看板）としての意匠性と映像表示の意匠性の観点から、階段状のように表面１５と平行な面が存在しない前記傾斜面、前記湾曲面、または前記垂直面が好ましく、傾斜が存在しない前記垂直面がより好ましい。
【００２５】
オブジェクト１４の表面１５と周面１６の接続部分は、断面が直角となる角部１７が形成されている。なお、この角部１７は、Ｒを設けて湾曲する角とする、あるいは表面１５に対して４５度等の所定の角度の平面となるよう面取りをする等、直角の角とならない形状に形成してもよい。このとき、角部１７は、平面が存在しないように平面状の面取りをせずに直角または湾曲とすることが好ましく、他の方向へ光を反射しないように直角とすることがより好ましい。
【００２６】
なお、意匠部１０は、一部に高さや表面形状が異なるものが混在していても良い。この場合でも、所定量以上のオブジェクト１１の表面１５が同じ高さで同じ面上に同じ角部１７および周面１６の形状で構成されていることで、サインとしての意匠性と映像表示の意匠性を両立できる。所定量は、５０％以上とすることができ、７０％以上とすることが好ましく、９０％以上とすることがより好ましい。
【００２７】
意匠部１０は、表面側に半透明層１０ａを有している。半透明層１０ａは、意匠部１０の表面１５に、シボ加工、フロスト加工、あるいはノングレア加工による反射光が様々な方向へ拡散する処理が施されて形成されている。そのため、半透明層１０ａは、表面の微細な凹凸の層であり、かつ非常に薄い層となっている。このようにして形成された半透明層１０ａの表面粗さはＲａ３〜２０ミクロンが好ましい。これにより、意匠部１０の表面の半透明層１０ａは、表面側に受光した光の一部を拡散反射し残部を透過する。また、半透明層１０ａは、表面側から入射する光の透過を抑えことができるため、映像を映し出すスクリーンとして用いることができる。
【００２８】
意匠部１０は、裏面に不透明層１０ｂを有している。意匠部１０は、不透明層１０ｂを介して映像反射部１１のある壁面の一部に重ねるようにして設けられている。不透明層１０ｂは、表面の半透明層１０ａを透過して裏面にまで到達した残部の光を反射する。ここでは、不透明層１０ａは、映像反射部１１と色相、彩度、および明度の少なくとも１つが異なる色に構成されている。このため、意匠部１０の不透明層１０ｂからの反射光と意匠部１０が設けられていない映像反射部１１からの反射光とは、色が異なる。そのため、意匠部１０の形状を明確に視認することができ、広告、宣伝のために人目を惹くことができる。
【００２９】
＜プロジェクションマッピング動作＞
意匠部１０を包含する投射スクリーン体１ａの立体的形状に合った映像（コンピュータグラフィックス）は、コンピュータを用いて予め作成されパソコン３に格納されている。そして、当該映像は、パソコン３の制御によりプロジェクタ２に伝送される（図１参照）。
プロジェクタ２に伝送された映像は、プロジェクタ２から投射スクリーン体１ａに向けて投射される。
【００３０】
投射スクリーン体１ａに向けて投射された映像は、不透明な素材で形成された映像反射部１１と意匠部１０の表面に形成された半透明層１０ａとをスクリーンにして、投射される。
【００３１】
ここで、投射される映像には、様々な趣向を凝らした演出が施されている。例えば、意匠部１０から四方に光を放射しているかのように見せる演出や、意匠部１０の中央部から突如噴煙を上げたように見せる演出や、意匠部１０の周りをあたかも雪が降っているかのように見せる演出や、意匠部１０の文字等が立体的に浮き出て色や光沢を変えたり、さらには変形しながら移動するように見せる演出や、意匠部１０の文字等が貼り付けられた窓ガラスに雨粒が流れ、その窓ガラス越しに都会の夜景を見ているかのように感じさせる演出等の、意匠部１０の形状に合わせたり、意匠部１０の形状を利用した演出が、投射される映像には施されている。これにより、投射スクリーン体１ａに映し出された映像は、意匠部１０が有する形状に静的にまたは／および動的に重畳され、意匠性サイン部１に、得も言われぬ意匠性を醸し出す。そのため、意匠性サイン部１を見た人は、ストーリーを脳裏に浮かべたりして、意匠部１０に強く印象付けられるようになる。以下、具体的に説明する。
【００３２】
図３は、意匠部１０を含む意匠性サイン部１（投射スクリーン体１ａ）について、プロジェクタ２以外の環境光（自然光または施設内照明など）による見え方と、プロジェクタ２による演出時の見え方を説明する説明図である。
【００３３】
図３（Ａ）は、プロジェクタ２を消灯し、環境光のみでの見え方を示すモノクロ写真図である。写真に表されるように、厚みのある立体的な意匠部１０である「ＤＡＩＫＡＮ」の文字と波型意匠は、裏面の不透明層１０ｂの色（反射光）が表面の半透明層１０ａにて拡散し、あたかも半透明層１０ａに不透明層１０ｂの色の色が着色されているように立体的に見える。
【００３４】
図３（Ｂ）〜図３（Ｊ）は、環境光を落としてプロジェクタ２による映像投射を行い、種々の演出している状態を示している。  
図３（Ｂ）は、文字の縁全体に湾曲する面取りが施された金属板に見えるような立体的な平面映像を投射した例である。この場合、意匠部１０は、文字の縁にＲが無く、平板をカットしたような形状であるにもかかわらず、文字の縁にＲのある金属のように見える。そして、不透明層１０ｂの色合いは表にでず、初めからその映像の色の意匠部１０が存在しているかのように見える。これは、半透明層１０ａにてプロジェクタ２の映像の光を良好に反射しているからである。これにより、環境光とは趣の異なるサインがあるように意匠部１０が人々に視認される。
【００３５】
図３（Ｃ）は、映像反射部１１に都会の映像を写し、意匠部１０をそのまま立体的に見せるべく意匠部１０の形状に沿っサインとしての色を投映するとともに、映像反射部１１と意匠部１０にまたがって水滴の映像を投影した例である。これにより、あたかもガラスの向こう側に都会が見え、ガラスに立体的な光るサインが設けられ、そのガラスに水滴が当たって垂れていくような演出をすることができている。
【００３６】
図３（Ｄ）は、映像反射部１１と意匠部１０にまたがってチーターの絵を表示した例である。チーターの体表に濃淡の明瞭な柄があることもあり、意匠部１０が存在しないかのような映像を見せることができる。これは、意匠部１０の半透明層１０ａ（不透明層１０ｂを含む）によって映像反射部１１と同程度に光を覇者していることによって実現している。
【００３７】
図３（Ｅ）〜図３（Ｊ）は、プロジェクタ２の投映の無い状態のサインとしての視認状態（図３（Ａ）参照）から映像を始めて、プロジェクタ２による投映のある明るいサインに変化していく映像を示す例である。
【００３８】
図３（Ｅ）のとき、意匠部１０の中央近辺に映像が投射され、その周囲には映像が投射されていない。このとき、当該周囲にはプロジェクタ２からの光を全く照射しない映像としても良いが、例えば５０％以下（好ましくは３０％以下）の白色光など、環境光と同様の光を投射する構成としてもよい。このようにして、環境光で見えるようなサインの中央に光が当たって映像が現れるような演出となる。
【００３９】
プロジェクタ２により投射する映像は、図３（Ｆ）に示すように、意匠部１０の半分以上にまで広がり、さらに図３（Ｇ）に示すように意匠部１０全体とその近傍にまで広がっている。このとき、先に投射を始めた意匠部１０の中心付近は、意匠部１０がオブジェクトグループ単位（この例では、ＤＡＩＫＡＮの文字と、可能の波線の２つのオブジェクトグループ）で単一色（この例では、ＤＡＩＫＡＮオブジェクトグループは白色、波線オブジェクトグループは水色）かつ同明度の光が照射されている。従って、光の演出が中心から側方へ移動し、中心からサインが現れるように演出される。
【００４０】
プロジェクタ２により投射する映像は、図３（Ｈ）に示すように、さらに光の演出が側方へ移動し、意匠部１０がサインとして照射される部分が広がり、図３（Ｉ）のように投射されている部分の殆どが意匠部１０のサイン部分となる状態を経て、図３（Ｊ）に示すように意匠部１０のみにオブジェクトグループ単位の単一色の光が投射されたサイン状態となる。
【００４１】
このサイン状態となった意匠部１０は、単に平面のサインの映像をスクリーンに投影するのとは異なり、意匠部１０の厚み分だけ手前に浮きあがるように視認され、立体的なサインとして視認される。
【００４２】
以上の構成と動作により、意匠部１０は、投射スクリーン体１ａの投射面側に部分的に設けられて文字、図形、または模様を表す形状に形成され、そして、表面側に受光した光の一部を拡散反射し残部を透過する半透明層１０ａを有している。このため、意匠部１０は、所定の外形形状を有するスクリーンとして機能する。これにより、プロジェクタ２（映像投射部）から映像が投射されない時でも、意匠部１０が意匠性サイン部１として広告、宣伝機能を発揮し、さらに映像が投射されると、意匠部１０に投射スクリーン体１ａを加えた意匠性サイン部１が広告、宣伝機能を発揮する。そのため、映像による豊富なデザイン表現ができ、また、演出効果の高い印象に残る広告、宣伝を行うことができる。
【００４３】
半透明層１０ａは、透光体の表面にフロスト加工、シボ加工、またはノングレア加工が施されて形成された層である。このため、映り込みが生じにくい。また、半透明層１０ａから反射する光は柔らかく、高級感を醸し出すことができる。
【００４４】
意匠部１０の裏面側には表面側の半透明層１０ａを透過した残部の光を反射する不透明層１０ｂが形成されている。そして、その不透明層１０ｂは、投射スクリーン体１ａを構成する映像反射部１１と色相、彩度、および明度の少なくとも１つが異なる色に構成されている。このため、意匠部１０を、映像反射部１１から目立たせることができ、広告、宣伝効果を高めることができる。
【００４５】
投射スクリーン体１ａおよび意匠部１０は、人が利用する施設の壁面、天井面、床面、出入り口、またはこれらの近傍に配置されると、当該配置された位置の近くを通過または立ち止まる人が意匠部１０で表される文字、図形、または模様を表す形状をはっきりと視認できる大きさである。そのため、人目に付きやすい。また、映画のスクリーンに映し出される一場面を彷彿させ、単なる広告用看板にはない高いエンターテインメント性を人に感じさせる。
【実施例２】
【００４６】
＜実施例２の意匠性サインシステム＞
図４は、実施例２の意匠性サインシステム１０２の説明図である。
実施例２の意匠性サインシステム１０２は、意匠性サイン部としての意匠性発光装置１Ｘと、映像投射部としてのプロジェクタ２と、意匠性発光装置１Ｘによる発光状態と、プロジェクタ２による映像投射状態とを制御する制御部としてのパソコン３を備えている。
【００４７】
意匠性発光装置１Ｘは、広告や宣伝のために、商店等がその建物の正面に設置し、通行人の目に付くようにしたＬＥＤ看板等である。意匠性発光装置１Ｘは、内蔵されたＬＥＤ光源からの光を拡散する立体的な光拡散意匠部２０（実施例１における「意匠部１０」に相当する）を備えている。この例では、正面視において、光拡散意匠部２０は、「ＤＡＩＫＡＮ」という文字と、「波の形」を模した当該文字の下方の傍線状の図形とを表す形状に形成されている。なお、光拡散意匠部２０の表面と筐体２１の表面が平行に構成されている点等の両者の関係は、実施例１におけるオブジェクト１４の表面１５と映像反射部１１との関係と同じとすることができる。また、光拡散意匠部２０の周面や角の形状は、実施例１のオブジェクト１４の周面１６や角部１７の形状と同じとすることができる。
【００４８】
意匠性発光装置１Ｘは、発光制御ケーブル５によりパソコン３に接続されており、意匠性発光装置１Ｘに内蔵されたＬＥＤ光源のオンオフ及び調光の制御がパソコン３により行われる。
【００４９】
パソコン３には、映像音声制御ケーブル４を介してプロジェクタ２にも接続されている。
パソコン３は、コンピュータを用いて予め作成された光拡散意匠部２０を含む意匠性発光装置１Ｘの立体的形状に合った映像（コンピュータグラフィックス）を、映像音声制御ケーブル４を介してプロジェクタ２に伝送するよう制御する。
【００５０】
プロジェクタ２は、意匠性発光装置１Ｘの正面側に離間して設置され、意匠性発光装置１Ｘをスクリーンとして、光拡散意匠部２０を含む意匠性発光装置１Ｘの立体的形状に合った映像（コンピュータグラフィックス）を投影する。すなわち、意匠性発光装置１Ｘは、投射スクリーン体１ｂとなっており、プロジェクタ２から投射された映像を反射して視認可能に映し出す。
【００５１】
＜意匠性発光装置＞
図５は、実施例２の意匠性サイン部１（意匠性発光装置１Ｘ）の正面図による説明図である。
【００５２】
図６（Ａ）は、図５における意匠性サイン部１（意匠性発光装置１Ｘ）のＡ−Ａ断面図による説明図で、図６（Ｂ）は、意匠性サイン部１（意匠性発光装置１Ｘ）の一部拡大断面図による説明図である。
【００５３】
意匠性発光装置１Ｘは、正面視において、文字等を表す形状に形成されている光拡散意匠部２０と、光拡散意匠部２０の形状に沿った開口を有する筐体２１（実施例１の映像反射部１１に相応する）を備えている。
【００５４】
そして、意匠性発光装置１Ｘは、光拡散意匠部２０の裏面側にＬＥＤ導光板２２が設けられ、さらに、ＬＥＤ導光板２２の一つの端面にＬＥＤモジュール２３が設けられ、これらは筐体２１により支持されている。
【００５５】
筐体２１は、不透明な素材で形成されており、この例では、アルミ素材が用いられている。筐体２１は、この例では、平板状であるが、立体的形状を有していてもかまわない。筐体２１の表面はシボ加工による処理をしてもよい。これにより、入射する光の反射を減らすことができる。また、シボ加工された表面に入射した光は拡散され柔らかい光となって放出されるため、高級感を出すことができる。
【００５６】
光拡散意匠部２０（透光体）は、透明な素材で形成されており、この例では、アクリル素材が用いられている。アクリル素材の厚さは、透明度の点では１０ｍｍ以下が好ましく、強度の点では１ｍｍ以上が好ましく、２〜４ｍｍが実用的で好ましい。
【００５７】
光拡散意匠部２０は、表面に、半透明層２０ａを有している。半透明層２０ａは、光拡散意匠部２０の表面に、シボ加工あるいはフロスト加工による処理が施されて形成されている。そのため、半透明層２０ａは、表面の微細な凹凸の層であり、非常に薄い層となっている。このようにして形成された半透明層２０ａの表面粗さはＲａ３〜２０ミクロンが好ましい。これにより、光拡散意匠部２０の表面の半透明層２０ａは、入射する光を拡散し柔らかい光に変えて放出することができ、高級感を出すことができる。また、半透明層２０ａは、入射する光の透過を抑えことができるため、映像等を映し出すスクリーンとして用いることができる。
光拡散意匠部２０は、裏面に、着色してもよく、または、色を位置に対して連続的に変化させるグラデーションを施してもよい。
【００５８】
ＬＥＤ導光板２２は、光拡散意匠部２０の裏面側に設けられている。
ＬＥＤ導光板２２は、導光板本体２２ａと、導光板本体２２ａの表面に貼り付けられた拡散シート２２ｂと、導光板本体２２ａの裏面に貼り付けられた反射シート２２ｃを有している。
【００５９】
導光板本体２２ａは、透明なアクリル素材で形成されている。導光板本体２２ａは、厚さが２〜８ｍｍが好ましく、５ｍｍがより好ましい。導光板本体２２ａは、裏面にレーザ加工によるドットやＶ溝が形成されている。
【００６０】
導光板本体２２ａの裏面に貼り付けられた反射シート２２ｃは、この例では、厚さが１ｍｍである。
導光板本体２２ａの表面に貼り付けられた拡散シート２２ｂは、この例では、厚さが２ｍｍの乳半板で、入射する光を拡散し表面を均一に発光させる。
【００６１】
ＬＥＤ導光板２２は、拡散シート２２ｂを光拡散意匠部２０の裏面に対向するように配置されている。そして、ＬＥＤ導光板２２は、少なくとも光拡散意匠部２０の裏面のすべてを被覆している。
【００６２】
ＬＥＤモジュール２３は、ＬＥＤ導光板２２の一つの端面、この例では、上端面に設けられている。ＬＥＤモジュール２３は、ＬＥＤ導光板２２の左右上下のどの端面に設けてもよく、また、複数設けるようにしてもよい。
【００６３】
ＬＥＤモジュール２３は、複数のＬＥＤ光源２３ａが、ＬＥＤ導光板２２の上端面に沿って長尺状で、ＬＥＤ導光板２２の上端面に対向する面が開口した、断面がＵ字状またはコ字状のリフレクタ２３ｂ内に設けられている。複数のＬＥＤ光源２３ａは、ＬＥＤ導光板２２の上端面に沿ってほぼ等間隔で一列に配列され、発光面がＬＥＤ導光板２２の上端面に対向する向きに配置されている。
【００６４】
ＬＥＤモジュール２３には、制御端子付きのＡＣアダプタ（図示せず）が接続されており、ＤＣ電力の供給が可能となっている。また、ＡＣアダプタ（図示せず）の制御端子には、発光制御ケーブル５が接続され、パソコン３によるＬＥＤ光源２３ａのオンオフ及び調光の制御が可能となっている。
【００６５】
＜発光動作＞
ＬＥＤ光源２３ａは、パソコン３の制御により発光する。
ＬＥＤ光源２３ａが発した光は、ＬＥＤ導光板２２の上端面から導光板本体２２ａ内に入射する（図６（Ｂ）参照）。
【００６６】
導光板本体２２ａ内に入射した光は、表面反射や、ドットやＶ溝による散乱を繰り返しながら導光板本体２２ａ内に広がっていく。
導光板本体２２ａ内に広がった光は、拡散シート２２ｂにより拡散され、均一な面発光となる。
【００６７】
均一な面発光となった光は、拡散シート２２ｂと対向する光拡散意匠部２０の裏面から入射し、光拡散意匠部２０の表面に向けて進行する。
光拡散意匠部２０の表面に到達した均一な面発光の光は、半透明層２０ａにより拡散され柔らかい光となって光拡散意匠部２０から放出される。
【００６８】
＜プロジェクションマッピング動作＞
ＬＥＤ光源２３ａからの発光は、パソコン３の制御により停止される。
コンピュータを用いて予め作成されパソコン３に格納されている光拡散意匠部２０を含む意匠性発光装置１Ｘ（投射スクリーン体１ｂ）の立体的形状に合った映像（コンピュータグラフィックス）は、パソコン３の制御によりプロジェクタ２に伝送される（図４参照）。
【００６９】
プロジェクタ２に伝送された映像（コンピュータグラフィックス）は、プロジェクタ２から意匠性発光装置１Ｘに向けて投影される。
【００７０】
意匠性発光装置１Ｘに向けて投影された映像（コンピュータグラフィックス）は、不透明な素材で形成された筐体２１と表面に半透明層２０ａを有する光拡散意匠部２０とで表面が被覆された意匠性発光装置１Ｘの表面がスクリーンとなって、意匠性発光装置１Ｘに投射される。
【００７１】
図７は、光拡散意匠部２０を含む意匠性発光装置１Ｘ（投射スクリーン体１ｂ）について、ＬＥＤ光源２３ａの発光による見え方と
、プロジェクタ２による演出時の見え方を説明する説明図である。
【００７２】
図７（Ａ）は、プロジェクタ２から投射範囲全面に白色光を投射した場合のモノクロ写真を示している。写真に表されているように、光拡散意匠部２０の表面が筐体２１の表面より手前側に突出していることがわかるが、光拡散意匠部２０が筐体２１と同じ色であるために目立たない状態となる。
【００７３】
図７（Ｂ）は、プロジェクタ２から光拡散意匠部２０と筐体２１の両方にまたがる映像を投射した場合の見え方を示している。図示するように、光拡散意匠部２０の存在はわかるもののそれほど目立たず、映像による演出とすることができる。
【００７４】
図７（Ｃ）は、プロジェクタ２から光拡散意匠部２０と筐体２１のそれぞれに異なる映像若しくは光を投射した場合の見え方を示している。図示するように、光拡散意匠部２０が光るサインのように明瞭に視認され、かつ、筐体２１に光拡散意匠部２０と異なる映像（画像）が投射されている。図示の例では、模様のある壁に光拡散意匠部２０が発光サインとして設けられ、かつ、その中央にスポットライトがあたって光拡散意匠部２０の周囲の壁の柄が見えているような演出となる。
【００７５】
図７（Ｄ）は、プロジェクタ２からの投射をせずに消灯し、ＬＥＤ光源２３ａ（図６参照）を発光させて光拡散意匠部２０を発光サインとして視認させる状態を示している。外部からプロジェクタ２で光（若しくは映像）を投射して発光させる場合よりも、光拡散意匠部２０を直接発光させて遠くからでも明瞭に視認できるように明るく発光させることができる。
【００７６】
以上の構成と動作により、光拡散意匠部２０は、表面側に半透明層２０ａを有している。このため、ＬＥＤ光源２３ａが発した光は、半透明層２０ａを透過して光拡散意匠部２０から放出される。このようにして半透明層２０ａを透過して放出される光は、単に明るいだけではなく、高級感が醸し出されている。また、ＬＥＤ光源２３ａが発した光は、半透明層２０ａを透過する際に拡散され、柔らかい光となって放出される。
【００７７】
光拡散意匠部２０の表面側の半透明層２０ａは、光をすべて透過するわけではなく、映像を映し出すスクリーンに適した指向性と反射率を有している。このため、光拡散意匠部２０の半透明層２０ａは、プロジェクションマッピングに際して、スクリーンとしての機能を発揮できる。また、半透明層２０ａは、光拡散意匠部２０の表面に形成された非常に薄い層である。そのため、スクリーンとして使用した場合に、奥行き方向に映像のボケが発生しにくい。
【００７８】
半透明層２０ａは、光拡散意匠部２０の表面にシボ加工、フロスト加工、あるいはノングレア加工による処理が施されて形成されている。そのため、半透明層２０ａは、微細な凹凸の層となっており、しかも、凹凸の角が丸まって形成されている。これにより、ＬＥＤ光源２３ａが発した光の半透明層２０ａでの拡散は全方位的に均一になりやすく、光拡散意匠部２０から放出される光に刺々しさが無くなる。
【００７９】
また、このような半透明層２０ａをプロジェクションマッピングのスクリーンとして使用した場合には、半透明層２０ａは特異な指向性と反射率を局所的に示すことがないため、光拡散意匠部２０の表面に映し出される映像は、表面全体で均質なものとなる。さらに、半透明層２０ａの透過率を調整することで、光拡散意匠部２０の空間内に映像が透けて見えるようにすることもでき、神秘的で幻想的な雰囲気を醸し出すこともできる。
【産業上の利用可能性】
【００８０】
本願発明は、店名やロゴの照明サインや照明広告の産業に利用することができる。
【符号の説明】
【００８１】
１…意匠性サイン部
１ａ，１ｂ…投射スクリーン体
１Ｘ…意匠性発光装置
２…プロジェクタ
３…パソコン
１０…意匠部
１０ａ…半透明層
１０ｂ…不透明層
１１…映像反射部
２０…光拡散意匠部
２０ａ…半透明層
２１…筐体
２２…ＬＥＤ導光板
２３…ＬＥＤモジュール
２３ａ…ＬＥＤ光源
１０１、１０２…意匠性サインシステム
【図１】
2019139133.tif 000003
【図２】
2019139133.tif 000004
【図３】
2019139133.tif 000005
【図４】
2019139133.tif 000006
【図５】
2019139133.tif 000007
【図６】
2019139133.tif 000008
【図７】
2019139133.tif 000009
【手続補正書】
【提出日】平成30年10月17日(2018.10.17)
【手続補正１】
【補正対象書類名】特許請求の範囲
【補正対象項目名】全文
【補正方法】変更
【補正の内容】
【特許請求の範囲】
【請求項１】
静止画または／および動画で構成される映像を投射する映像投射部と、
前記映像投射部が映像を投射できる範囲全体に対して部分的に設けられて文字、図形、または模様を表す形状に形成された意匠部と、
前記映像投射部が前記映像を投射できる前記範囲全体のうち前記意匠部以外の部分である映像反射部を備え、
前記映像反射部は、前記映像投射部から投射された映像を反射して視認可能に映し出す構成であり、
前記意匠部は、前記映像投射部から光を受光する表面側に受光した光の一部を拡散反射し残部を透過する半透明層を有し、かつ、裏面側に前記透過した残部の光を反射する不透明層を有し、
前記半透明層は、透光体の表面にフロスト加工、シボ加工、またはノングレア加工が施されて形成された層である
意匠性サインシステム。
【請求項２】
前記不透明層は、前記映像反射部と色相、彩度、および明度の少なくとも１つが異なる色に構成された
請求項１記載の意匠性サインシステム。
【請求項３】
前記意匠部は、前記映像反射部に対して前記映像投射部側へ立体的に形成された
請求項１または２記載の意匠性サインシステム。
【請求項４】
前記映像投射部からの投射を行わない非発光サインモードと、
前記映像投射部により、前記意匠部に映像若しくは光を投射して前記映像反射部に映像および光を投射しない光サインモードと、
前記映像投射部により、前記意匠部と前記映像反射部にまたがって映像を投射して演出する映像演出モードを適宜切り替えて演出する構成である
請求項１、２または３記載の意匠性サインシステム。
【請求項５】
静止画または／および動画で構成される映像を投射する映像投射部と、
前記映像投射部が映像を投射できる範囲全体に対して部分的に設けられて文字、図形、または模様を表す形状に形成された意匠部と、
前記映像投射部が前記映像を投射できる前記範囲全体のうち前記意匠部以外の部分である映像反射部とを備え、
前記意匠部は、表面側に受光した光の一部を拡散反射し残部を透過する半透明層を有し、
前記意匠部に裏面側から光を照射する意匠部用光源と、
前記意匠部用光源の発光状態と、前記映像投射部による映像投射状態とを制御する制御部を備えた
意匠性サインシステム。
【請求項６】
請求項１から５のいずれか１つに記載の意匠性サインシステムを用いて、
前記映像投射部からの投射を行わない非発光サインモードと、
前記映像投射部により、前記意匠部に映像若しくは光を投射してそれ以外の部分に映像および光を投射しない光サインモードと、
前記映像投射部により、前記意匠部と前記映像反射部も含めた全体に映像を投射して演出する映像演出モードを適宜切り替えて演出する
意匠性サイン演出方法。
【手続補正２】
【補正対象書類名】明細書
【補正対象項目名】０００８
【補正方法】変更
【補正の内容】
【０００８】
本願発明は、静止画または／および動画で構成される映像を投射する映像投射部と、前記映像投射部が映像を投射できる範囲全体に対して部分的に設けられて文字、図形、または模様を表す形状に形成された意匠部と、前記映像投射部が前記映像を投射できる前記範囲全体のうち前記意匠部以外の部分である映像反射部を備え、前記映像反射部は、前記映像投射部から投射された映像を反射して視認可能に映し出す構成であり、前記意匠部は、前記映像投射部から光を受光する表面側に受光した光の一部を拡散反射し残部を透過する半透明層を有し、かつ、裏面側に前記透過した残部の光を反射する不透明層を有し、前記半透明層は、透光体の表面にフロスト加工、シボ加工、またはノングレア加工が施されて形成された層である意匠性サインシステムであることを特徴とする。